(57)【特許請求の範囲】
【請求項１】
シャーシと、該シャーシに対して複数の支柱を介して取着され、所定の部品を支持した部品支持板と、ピックアップを記録媒体ディスクの半径方向に案内するガイド軸とを有し、
該ガイド軸の一端を上記シャーシと部品支持板との間で挟持して固定した
ことを特徴とするディスクドライブ装置。
【請求項２】
請求項１のディスクドライブ装置において、
シャーシ又は部品支持板に、ガイド軸を位置決めするための位置決め部材を設け、該位置決め部材に押し付けるようにして、ガイド軸をシャーシと部品支持板とにより挾持した
ことを特徴とするディスクドライブ装置。
【請求項３】
請求項１のディスクドライブ装置において、
上記位置決め部材の近傍に押付片を設け、該押付片により上記ガイド軸を位置決め部材に押し付けるようにした
ことを特徴とするディスクドライブ装置。
【請求項４】
請求項２のディスクドライブ装置において、
上記位置決め部材の近傍に押付片を設け、該押付片により上記ガイド軸を位置決め部材に押し付けるようにした
ことを特徴とするディスクドライブ装置。
【請求項５】
請求項１のディスクドライブ装置において、
上記部品支持板がスピンドルモータのステータ基板である
ことを特徴とするディスクドライブ装置。
【請求項６】
請求項２のディスクドライブ装置において、
上記部品支持板がスピンドルモータのステータ基板である
ことを特徴とするディスクドライブ装置。
【請求項７】
請求項３のディスクドライブ装置において、
上記部品支持板がスピンドルモータのステータ基板である
ことを特徴とするディスクドライブ装置。
【請求項８】
請求項４のディスクドライブ装置において、
上記部品支持板がスピンドルモータのステータ基板である
ことを特徴とするディスクドライブ装置。
【請求項９】
請求項１のディスクドライブ装置において、
上記部品支持板がスレッドモータのモータ支持板である
ことを特徴とするディスクドライブ装置。
【請求項１０】
請求項２のディスクドライブ装置において、
上記部品支持板がスレッドモータのモータ支持板である
ことを特徴とするディスクドライブ装置。
【請求項１１】
請求項３のディスクドライブ装置において、
上記部品支持板がスレッドモータのモータ支持板である
ことを特徴とするディスクドライブ装置。
【請求項１２】
請求項４のディスクドライブ装置において、
上記部品支持板がスレッドモータのモータ支持板である
ことを特徴とするディスクドライブ装置。
【請求項１３】
請求項１のディスクドライブ装置において、
上記押付片がシャーシに一体に形成された
ことを特徴とするディスクドライブ装置。
【請求項１４】
請求項２のディスクドライブ装置において、
上記押付片がシャーシに一体に形成された
ことを特徴とするディスクドライブ装置。
【請求項１５】
請求項３のディスクドライブ装置において、
上記押付片がシャーシに一体に形成された
ことを特徴とするディスクドライブ装置。
【請求項１６】
請求項４のディスクドライブ装置において、
上記押付片がシャーシに一体に形成された
ことを特徴とするディスクドライブ装置。
【請求項１７】
請求項５のディスクドライブ装置において、
上記押付片がシャーシに一体に形成された
ことを特徴とするディスクドライブ装置。
【請求項１８】
請求項６のディスクドライブ装置において、
上記押付片がシャーシに一体に形成された
ことを特徴とするディスクドライブ装置。
【請求項１９】
請求項７のディスクドライブ装置において、
上記押付片がシャーシに一体に形成された
ことを特徴とするディスクドライブ装置。
【請求項２０】
請求項８のディスクドライブ装置において、
上記押付片がシャーシに一体に形成された
ことを特徴とするディスクドライブ装置。
【請求項２１】
請求項９のディスクドライブ装置において、
上記押付片がシャーシに一体に形成された
ことを特徴とするディスクドライブ装置。
【請求項２２】
請求項１０のディスクドライブ装置において、
上記押付片がシャーシに一体に形成された
ことを特徴とするディスクドライブ装置。
【請求項２３】
請求項１１のディスクドライブ装置において、
上記押付片がシャーシに一体に形成された
ことを特徴とするディスクドライブ装置。
【請求項２４】
請求項１２のディスクドライブ装置において、
上記押付片がシャーシに一体に形成された
ことを特徴とするディスクドライブ装置。
【発明の詳細な説明】
【０００１】
【発明の属する技術分野】
本発明は新規なディスクドライブ装置に関する。詳しくは、記録媒体ディスクの信号の読取又は書き込みを行うピックアップを、記録媒体ディスクの半径方向に移動自在に支持するガイド軸の組立工数の削減を図り、製造コストの低減を図る技術に関する。
【０００２】
【従来の技術】
記録媒体ディスクに情報を書き込み又は記録媒体ディスクに記録されている情報を読みとるディスクドライブ装置にあっては、記録媒体ディスクの半径方向に移動するピックアップによって情報の読取又は書き込みを行っているが、記録媒体ディスクに対する正確な情報の書き込み又は読取を行うためには、ピックアップの対物レンズを記録媒体ディスクの半径方向と一致した方向に精度良く移動させる必要がある。
【０００３】
そのため、ディスクドライブ装置にあっては、ピックアップを２本のガイド軸で案内し、かつ、一方のガイド軸の一端（記録媒体ディスクの内周側端部）を、所定の基準点に対して所定の位置に配設するようになっている。所定の基準点とは、ディスクドライブ装置にあっては、通常、記録媒体ディスクの回転中心、即ち、スピンドル軸とされている。
【０００４】
そして、一端が精度良く位置決めされた上記ガイド軸は、基準ガイド軸とされ、ピックアップを所定の方向に精度良く移動させるための基準となるものである。
【０００５】
また、上記基準ガイド軸の一端（記録媒体ディスクの内周側端部）を精度良く位置規制するのは、ピックアップの対物レンズの移動軌跡のディスクの半径方向に対するズレ（タンジェンシャル方向のズレ）が、基準ガイド軸の内周側端の位置決め精度に大きく影響するためである。
【０００６】
そして、そのような基準ガイド軸の内周側端部は、例えば、シャーシにネジ止めされたり、シャーシに設けた取付片を介して取着されるようになっている。
【０００７】
【発明が解決しようとする課題】
ところで、このようなディスクドライブ装置にあっては、基準ガイド軸の一端がシャーシに対して、直接又は取付片などを介して取着されるため、取付けるためのビス、或いは、取付片などが必要であり、その分の部品点数が多く、また、これらを取付けるための取付工数が必要であったという問題があった。
【０００８】
そこで、本発明は、ピックアップを、記録媒体ディスクの半径方向に移動自在に支持するガイド軸のシャーシに対する取付けを簡略化することにより、部品点数の削減、取付工数の削減を図り、製造コストの低減を図ることを課題とする。
【０００９】
【課題を解決するための手段】
本発明ディスクドライブ装置は、上記した課題を解決するために、ピックアップを記録媒体ディスクの半径方向に案内するガイド軸の一端をシャーシと所定の部品を支持した部品支持板との間で挟持して固定したものである。
【００１０】
従って、本発明ディスクドライブ装置にあっては、ガイド軸のみを支持する専用の部材が必要なく、部品点数の削減、組立工数の削減に寄与することができる。
【００１１】
【発明の実施の形態】
以下に、本発明ディスクドライブ装置の各実施の形態を添付図面を参照して説明する。尚、図示した各実施の形態は、本発明をノート型パーソナルコンピュータに搭載するＣＤ−ＲＯＭドライブに適用したものである。
【００１２】
図１乃至図１３は、第１の実施の形態を示す。
【００１３】
ＣＤ−ＲＯＭドライブ１は上下に扁平で前面に開口した外筐２を備え、該外筐２は下側のボトムシャーシ３と該ボトムシャーシ３の上面に固定されたカバー体４とから成り、このような外筐２に引出部５が収納及び引出可能に支持される。尚、本明細書において方向を示すときは、図１における左下方を前方、右上方を後方、左上方を左方、右下方を右方、上方を上方、下方を下方と記述する。
【００１４】
そして、ボトムシャーシ３の右側部には、底上げされた張り出し部３ａが形成されており、ボトムシャーシ３がカバー体４により覆われたときに、上記張り出し部３ａ以外の部分が空間６となって、後述するトレイ７が収納されるようになっている（図１参照）。
【００１５】
引出部５は合成樹脂製のトレイ７に後述するベースユニット８が支持されて成る。尚、図示は省略するが、引出部５の外筐に対する収納及び引出は、引出部５の左右両縁部に設けられたスライド機構により為される。
【００１６】
トレイ７は平面形状で前後方向に長い長方形の外形を有し、その幅は外筐２の空間６の幅より僅かに小さく形成されている（図１参照）。
【００１７】
トレイ７の上面に記録媒体ディスクとしてのＣＤ−ＲＯＭ９を配置する円形の一部を為す凹部１０が形成され、該凹部１０内に後述するベースユニット８を上方へ臨ませるための開口部１１が形成されている（図２参照）。
【００１８】
また、トレイ７の前面には前面パネル１２が取り付けられる。前面パネル１２は合成樹脂で横長の板状に形成され、その左右方向の長さは上記外筐２の左右方向の長さとほぼ同じになっている。
【００１９】
上記引出部５のトレイ７の下面にベースユニット８が支持される。
【００２０】
ベースユニット８は、シャーシ１３に各種部品が搭載されて構成されている。
【００２１】
即ち、シャーシ１３には、ＣＤ−ＲＯＭ９が載置されるターンテーブル１４と、該ターンテーブル１４を回転させるスピンドルモータ１５と、ＣＤ−ＲＯＭ９の記録情報の読み取りを行なう光ピックアップ１６と、該光ピックアップ１６をＣＤ−ＲＯＭ９の半径（Ｒ）方向に移動自在に支持するガイド軸１７、１８と、光ピックアップ１６を移動させるスレッドモータ１９等が搭載されている。尚、光ピックアップ１６は、ガイド軸１７、１８のうち、右手前側に位置するガイド軸１７を基準として案内される様になっており、従って、このガイド軸１７が基準ガイド軸として機能し、左奥側のガイド軸１８がサブガイド軸として機能する（図３参照）。
【００２２】
シャーシ１３は、板金材料から成り、ゴムダンパー２０、２０、２０を介してトレイ７の下面に支持される（図２参照）。
【００２３】
シャーシ１３にはそのほとんどを占める大きな開口部２１が形成されている。該開口部２１は左前から右後方に向けて延びるほぼ長方形状を為し、その後縁はほぼ左右方向に延びるように他の部分に対して傾斜したピックアップ用開口部２１ａと、該ピックアップ用開口部２１ａの後縁に連続しほぼ半円形を為すターンテーブル用開口部２１ｂと、ピックアップ用開口部２１ａの右前方を向いた側縁のほゞ中央部に連続しほぼ半円強の形状を為すスレッドモータ用開口部２１ｃとが連続して形成されて成り、更に、ピックアップ用開口部２１ａの右後端部が更に右斜め後方に延びるように連続してガイド軸支持用開口部２１ｄが形成されている（図３、図５参照）。
【００２４】
ターンテーブル１４はその上端部が上記ターンテーブル用開口部２１ｂからシャーシ１３の上方に突出するように配置される。即ち、スピンドルモータ１５を支持したモータ支持板としてのステータ基板２２がシャーシ１３の下面に３つの支柱２３、２３、２３を介して固定され、上記スピンドルモータ１５のスピンドル軸２４にターンテーブル１４が一体化されることによって、ターンテーブル１４が上記位置に配置される（図３、図５参照）。
【００２５】
具体的には、ピックアップ用開口部２１ａの後縁で、ターンテーブル用開口部２１ｂのピックアップ用開口部２１ａ側の左縁部及び右縁部とターンテーブル用開口部２１ｂの奥縁部に、支柱２３ａ、２３ｂ、２３ｃがそれぞれカシメにより下方へ突設されており、これら３つの支柱２３ａ、２３ｂ、２３ｃは同じ形状に形成され（図５参照）、また、これらの下端面には、ネジ孔が形成されている。
【００２６】
スピンドルモータ１５が支持されたステータ基板２２には、上記３つの支柱２３ａ、２３ｂ、２３ｃに対応する位置に、ネジ挿通孔２５、２５、２５が形成され（図５参照）、これらネジ挿通孔２５、２５、２５のうち、ピックアップ用開口部２１ａの右縁部に立設された支柱２３ｂに対応するネジ挿通孔（以下、「基準ネジ挿通孔」という。）２５ｂが、スピンドルモータ１５のスピンドル軸２４を基準として精度良く位置決めされている。
【００２７】
そして、ステータ基板２２をそのネジ挿通孔２５ａ、２５ｂ、２５ｃが３つの支柱２３ａ、２３ｂ、２３ｃのネジ孔に一致するようにして重ね合せ、ネジ２６、２６、２６を螺合することにより、ステータ基板２２がシャーシ１３に取着される。
【００２８】
この状態で、基準ネジ挿通孔２５ｂがピックアップ用開口部２１ａの右縁部に立設された支柱２３ｂのネジ孔に一致されているため、該支柱２３ｂの位置は、スピンドル軸２４との関係で、精度良く位置決めされる。これにより、該支柱２３ｂは、シャーシ１３における各部位、各部品等の取り付け位置、寸法等における基準となる位置決め部材として機能し、よって、以下、基準支柱２３ｂという。
【００２９】
シャーシ１３の上記基準支柱２３ｂの右斜め後方であって、ガイド軸支持用開口部２１ｄの左後方を向いた縁部に斜め下方に延びる押付片２７がシャーシ１３に一体に形成されている。これにより、シャーシ１３を水平でかつ左斜め前方からガイド軸支持用開口部２１ｄを見たときに（図６におけるＡ矢視）、押付片２７と基準支柱２３ｂとの間に、下方に開口するほぼ逆Ｖ字状の空間２８が形成される（図６、図７参照）。
【００３０】
光ピックアップ１６は、上記ピックアップ用開口部２１ａ内を上記ターンテーブル１４に対して離接する方向に移動自在に配置される（図１３参照）。
【００３１】
光ピックアップ１６は移動ベース２９に半導体レーザ等を有する図示しない光学ブロック、レーザ光を上記ターンテーブル上に載置されたＣＤ−ＲＯＭ９に集光させる対物レンズ３０、該対物レンズ３０をフォーカシング方向及びトラッキング方向に移動させる図示しない２軸アクチュエータ等が搭載されて成る（図１１参照）。
【００３２】
そして、光ピックアップ１６の対物レンズ３０の上方から見た移動軌跡が、ターンテーブル１４に載置されたＣＤ−ＲＯＭ９の半径（Ｒ）方向と一致するようになっている（図１３参照）。
【００３３】
そして、上記移動ベース２９は基準ガイド軸１７とサブガイド軸１８とによって案内されて移動する。基準ガイド軸１７は丸棒状を為し、サブガイド軸１８は板金材料を折り曲げて形成されている（図１０、図１２参照）。尚、移動ベース２９は、基準ガイド軸１７を基準にして移動されるようになっており、従って、基準ガイド軸１７はスピンドル軸２４に対して精度良く位置決めされる必要がある。
【００３４】
サブガイド軸１８は、上記２個のガイド軸１７、１８を一体的に支持してガイド軸アッシー３１とするガイド軸支持板３２と一体に形成されている（図５参照）。
【００３５】
ガイド軸支持板３２はバネ弾性を有する板金材料で形成され、上記ピックアップ用開口部２１ａの先端部の幅よりやや長い板状を為し、その右端部に基準ガイド軸支持部３３が形成され、左端部にサブガイド軸連結部３４が形成され、さらに、前縁の左右方向における中央部に取付片３５が突設されている（図５参照）。
【００３６】
上記基準ガイド軸支持部３３及びサブガイド軸連結部３４にはそれぞれネジ孔３３ａ、３４ａが形成されている（図９参照）。
【００３７】
また、基準ガイド軸支持部３３のネジ孔３３ａの右後方には、断面円弧状の凹部３６が形成されており、該凹部３６に基準ガイド軸１７の前端部（以下、「外周側端部」という。）１７ａが載置され、該基準ガイド軸１７は、凹部３６に載置された状態で、レーザー溶接等により基準ガイド軸支持部３３に固定されている（図１０参照）。
【００３８】
これにより、基準ガイド軸１７は、丸棒状のままでこれに加工を施すことなく、基準ガイド軸支持部３３に固定することができ、また、固定するときの基準ガイド軸１７の支持は極めて簡単に済み、その分、固着工程を簡略化することができ、更に、基準ガイド軸支持部３３の凹部３６の位置さえ精度良く形成しておけば、基準ガイド軸１７の外周側端部１７ａにおける位置精度を高めることができ、よって、基準ガイド軸１７のＣＤ−ＲＯＭ９の半径（Ｒ）方向に対する平行度を確保するのに寄与する。
【００３９】
サブガイド軸１８は長い板状の板金材料の一側縁部をＵ字状に折り曲げてガイド部１８ａが形成され、該ガイド部１８ａの後端に連続して取付片１８ｂが突設され、ガイド部１８ａの前端がガイド軸支持板３２のサブガイド軸連結部３４に一体に連続されている。
【００４０】
このようにして、ガイド軸支持板３２に基準ガイド軸１７及びサブガイド軸１８が一体化されてガイド軸アッシー３１が形成される（図５参照）。
【００４１】
そして、ガイド軸アッシー３１は、以下のようにして、シャーシ１３に支持される（図５参照）。
【００４２】
先ず、基準ガイド軸１７及びサブガイド軸１８のそれぞれの前端部は、次のようにして、シャーシ１３に支持される。
【００４３】
即ち、シャーシ１３のうち上記ピックアップ用開口部２１ａの前端の中央に対応した縁部の下面に上記ガイド軸支持板３２の取付片３５がネジ止め等の適宜な手段によって固定される。また、シャーシ１３の上記ネジ孔３３ａ、３４ａに対応した位置に形成されたネジ挿通孔３７、３７を上方から挿通された調整ネジ３８、３８（図５参照）が上記ネジ孔３３ａ、３４ａに各別に螺合される。
【００４４】
そして、上記したように、ガイド軸支持板３２の材料はバネ弾性を有する板金材料であるので、上記調整ネジ３８、３８をネジ孔３３ａ、３４ａに対して捩じ込むと、基準ガイド軸支持部３３、サブガイド軸連結部３４がシャーシ１３に近づき、逆に、調整ネジ３８、３８をネジ孔３３ａ、３４ａに対して捩じ戻すと、基準ガイド軸支持部３３、サブガイド軸連結部３４がシャーシ１３から遠去かる。かかる調整ネジ３８、３８の調整は、後述するスキュー調整になる（図９参照）。
【００４５】
サブガイド軸１８は、その後端部の取付片１８ｂがシャーシ１３にネジ止めにより固定される（図５参照）。
【００４６】
また、基準ガイド軸１７の後端部（内周側端部）１７ｂのシャーシ１３への取着は、ステータ基板２２をシャーシ１３に取着するときに、同時に為される。
【００４７】
即ち、基準ガイド軸１７の内周側端部１７ｂを、シャーシ１３に形成された上記押付片２７と基準支柱２３ｂとが為す逆Ｖ字状空間２８に位置させ、ステータ基板２２をシャーシ１３に固定する際に、ステータ基板２２と基準支柱２３ｂと押付片２７との間で基準ガイド軸１７を挾持する（図７参照）。
【００４８】
このとき、押付片２７の弾発力により、基準ガイド軸１７の内周側端部１７ｂは基準支柱２３ｂ及びステータ基板２２に押し付けられて、位置決めされる。即ち、押付片２７は、基準ガイド軸１７の内周側端部１７ｂを基準支柱２３ｂに押し付ける押圧手段として機能する。
【００４９】
基準ガイド軸１７の内周側端部１７ｂは、基準支柱２３ｂに押し付けられることにより、基準支柱２３ｂに対して精度良く位置決めされることになり、従って、スピンドル軸２４に対する位置決めが精度良くなされたことになる。
【００５０】
そして、上述したように、基準ガイド軸１７の外周側端部１７ａが、位置精度良く形成した基準ガイド軸支持部３３の凹部３６に支持されているので、基準ガイド軸１７は、ＣＤ−ＲＯＭ９の半径（Ｒ）方向に対する平行度が、精度良く確保されることになり、これにより、光ピックアップ１６の対物レンズ３０の上方から見た移動軌跡が、ターンテーブル１４に載置されたＣＤ−ＲＯＭ９の半径（Ｒ）方向と一致する。
【００５１】
尚、基準ガイド軸１７の両端部（外周側端部１７ａと内周側端部１７ｂ）に関するスピンドル軸２４を基準点とする位置精度を比較すると、内周側端部１７ｂの位置精度の方が、精度良く位置決めされている。
【００５２】
即ち、基準支柱２３ｂに対して基準ガイド軸１７にほぼ直交する方向における位置決めが為され、また、ステータ基板２２に対してスピンドル軸２４の軸方向における位置決めが為される。しかも、かかる位置決めの基準が、基準支柱２３ｂ及びステータ基板２２であるため、スピンドル軸２４に対する位置決めが精度良く為されることになる（図７参照）。
【００５３】
これにより、光ピックアップ１６の対物レンズ３０の移動軌跡のＣＤ−ＲＯＭ９の半径（Ｒ）方向に対するズレ（タンジェンシャル方向のズレ）は、基準ガイド軸１７の内周側端部の位置決め精度に大きく影響されるためであり、従って、基準ガイド軸１７の内周側端部１７ｂの位置決めを精度良く行っておけば、基準ガイド軸１７の外周側端部１７ａの位置決めが、多少ラフになっても、トラッキングエラー等の問題は生じない。
【００５４】
移動ベース２９の右端には被案内部３９、３９が突設されこれら被案内部３９、３９の間の部分に連結部４０が形成され、該連結部４０に連結孔４０ａが形成されている。また、上記被案内部３９、３９には同軸上に位置する被案内孔３９ａ、３９ａが形成されている。さらに、移動ベース２９の左端には上下に離間し且つ平行に突出した被案内片４１、４１が形成されている（図１１参照）。
【００５５】
しかして、上記基準ガイド軸１７が移動ベース２９の被案内孔３９ａ、３９ａに摺動自在に挿通され、また、移動ベース２９の被案内片４１、４１が上記サブガイド軸１８の上下両面に各別に摺動自在に当接し、これによって、光ピックアップ１６は基準ガイド軸１７及びサブガイド軸１８に案内されて移動するようにシャーシ１３に支持される（図１２参照）。
【００５６】
そして、ターンテーブル１４上に載置されたＣＤ−ＲＯＭ９に集光されるレーザ光のＣＤ−ＲＯＭ９に対する垂直度の調整、即ち、スキュー調整は、上記調整ネジ３８、３８を操作して、基準ガイド軸支持部３３及び／又はサブガイド軸連結部３４のシャーシ１３との間の間隔、即ち、基準ガイド軸１７及び／又はサブガイド軸１８のシャーシ１３と間の間隔を調整することによって行う。
【００５７】
次に、上記光ピックアップ１６をターンテーブル１４上に載置されるＣＤ−ＲＯＭ９の半径（Ｒ）方向に移動させる機構について説明する。
【００５８】
スレッドモータ１９を支持したモータ支持板４２がシャーシ１３の下面に３つの支柱４３、４３、４３を介して固定され、スレッドモータ１９はスレッドモータ用開口部２１ｃに位置される。スレッドモータ１９のロータ１９ａの外周部にはそのほぼ半周にわたって駆動ギヤ部４４が形成されている（図１３参照）。
【００５９】
上記光ピックアップ１６にはラック部材４５が連結される。
【００６０】
ラック部材４５は合成樹脂で形成され、細長い板状をしたラック部４６の一方の面にはラック歯４６ａ、４６ａ、・・・が長手方向に配列形成されている。ラック部４６のラック歯４６ａ、４６ａ、・・・形成面と反対側の面には連結片４７が突設されており、該連結片４７の先端部には連結ピン４７ａが垂設されている。また、連結片４７が形成された面の連結片４７を挟んだ２つの位置には倒立Ｌ字状をした係合片４８、４８が形成されている（図１１参照）。
【００６１】
しかして、ラック部材４５の係合片４８、４８が上記基準ガイド軸１７に摺動自在に係合され、また、連結片４７の連結ピン４７ａが上記光ピックアップ１６の移動ベース２９の連結孔４０ａに係合され、これによって、移動ベース２９とラック部材４５とが一体的に基準ガイド軸１７及びサブガイド軸１８に案内されて移動されるようになる。
【００６２】
また、ラック部材４５のラック歯４６ａ、４６ａ、・・・は上記駆動ギヤ部４４と噛合される。従って、スレッドモータ１９が駆動されることによって、回転する駆動ギヤ部４４によってラック部材４５が送られ、これと一体的に光ピックアップ１６が基準ガイド軸１７及びサブガイド軸１８に案内されてターンテーブル１４上に載置されたＣＤ−ＲＯＭ９の半径（Ｒ）方向に移動することになる（図１３参照）。
【００６３】
そして、上述したように、光ピックアップ１６の対物レンズ３０は、スピンドル軸２４を基準として、精度良く位置決めされた基準ガイド軸１７に案内されて移動するため、その上方から見た移動軌跡は、ターンテーブル１４に載置されたＣＤ−ＲＯＭ９の半径（Ｒ）方向と一致する。
【００６４】
尚、上記実施の形態においては、サブガイド軸１８をガイド軸支持板３２と一体に形成したが、ガイド軸支持板とは別体に形成し、サブガイド軸をガイド軸支持板に固定するようにしても良い。
【００６５】
図１４乃至図１７は、第２の実施の形態を示すものである。
【００６６】
尚、この第２の実施の形態にかかるディスクドライブ装置１Ａが、前記第１の実施の形態のディスクドライブ装置１と相違するところは、基準ガイド軸の位置決めを行なう構造のみである。従って、その相違する部分についてのみ説明し、相違しない部分については説明を省略すると共に、要部以外の部分であって前記第１の実施の形態におけると同様の部分については、第１の実施の形態における同様の部分に付した符号と同じ符号を付することによってその説明を省略する。また、以後に説明する第３乃至第５の実施の形態についても第２の実施の形態についてと同様に相違する部分についてのみ説明をし、要部以外の部分であって前記第１の実施の形態におけると同様の部分については、第１の実施の形態における同様の部分に付した符号と同じ符号を付することによってその説明を省略する。
【００６７】
上記第１の実施の形態にかかるディスクドライブ装置１にあっては、基準ガイド軸１７の位置決めを、位置決め部材としての上記基準支柱２３ｂに押付片２７により押し付けることによって行っていたが、この第２の実施の形態にかかるディスクドライブ装置１Ａにあっては、位置決め部材として位置決め片を設け、該位置決め片にモータ基板（ステータ基板２２）により基準ガイド軸を押し付けるようにしたものである。従って、図示はその要部についてのみ行なう。
【００６８】
シャーシ１３のガイド軸支持用開口部２１ｄの左前方を向いた開口縁には、「逆凹字状」をした位置決め片５１が下方に向けて折り曲げられるようにして一体に設けられている（図１５参照）。尚、図１５は、図１４におけるＣ矢視図であり、図１６は、図１４におけるＤ矢視図である。
【００６９】
位置決め片５１の下方に開口した矩形の切欠５２は、その幅が上記基準ガイド軸１７の直径とほぼ同じに形成され、上下方向の深さは基準ガイド軸１７の直径より小さく形成されている。また、位置決め片５１の下方への突出量は、上記基準支柱２３ｂの高さよりやや小さく形成されている。尚、位置決め片５１はスピンドル軸２４に対して位置精度良く形成されており、特に、位置決め片５１の矩形切欠５２における左側縁５２ａ及び奥縁５２ｂは位置精度良く形成されている。
【００７０】
また、上記ステータ基板２２の右端部２２ａは、位置決め片５１の右斜め後方まで延びている（図１４、図１７参照）。
【００７１】
しかして、基準ガイド軸１７の内周側端部１７ｂのシャーシ１３への取着は、ステータ基板２２をシャーシ１３に取着するときに、同時に為され、上記位置決め片５１及びステータ基板２２により位置決めされる。
【００７２】
即ち、基準ガイド軸１７の内周側端部１７ｂを、位置決め片５１の矩形切欠５２に嵌合し、この状態で、ステータ基板２２を支柱２３、２３、２３を介してシャーシ１３にビス止めする。
【００７３】
これにより、基準ガイド軸１７は、その内周側端部１７ｂが位置決め片５１の矩形切欠５２内に位置され、該位置決め片５１とステータ基板２２の右端部２２ａとにより挾持される。このとき、基準ガイド軸１７の内周側端部１７ｂは位置決め片５１の矩形切欠５２を構成する周縁に押し付けられ、特に、左側縁５２ａ及び奥縁５２ｂに押し付けられることにより、基準ガイド軸１７の内周側端部１７ｂが精度良く位置決めされる。また、ステータ基板２２の右端部２２ａは、基準ガイド軸１７を矩形切欠５２内に押し付ける押付片として機能する。
【００７４】
尚、ステータ基板２２をシャーシ１３に取着した状態で、位置決め片５１の矩形切欠５２の奥縁５２ｂとステータ基板２２との間の間隔を基準ガイド軸１７の直径よりも僅かに小さく設定することにより、基準ガイド軸１７の挾持をより強固にすることができる。
【００７５】
また、位置決め片５１の切欠５２は矩形に形成したが、下方に開口するものであれば良く、例えば、逆Ｖ字状、逆Ｕ字状などであっても良い。
【００７６】
図１８乃至図２１は、第３の実施の形態を示すものである。
【００７７】
上記第１の実施の形態にかかるディスクドライブ装置１にあっては、基準ガイド軸１７の位置決め部材を基準支柱２３ｂとしていたが、この第３の実施の形態にかかるディスクドライブ装置１Ｂにあっては、位置決め部材を、シャーシ１３に設けた位置決め片としたものである。従って、図示はその要部についてのみ行なう。
【００７８】
シャーシ１３のガイド軸支持用開口部２１ｄの右前方を向いた開口縁と左前方を向いた開口縁とにまたがって、後述する位置決め片及び押付片が形成される取付片５３が形成され、該取付片５３には、右前方を向いた開口縁５３ａ及び左前方を向いた開口縁５３ｂが形成されている。
【００７９】
そして、取付片５３の右前方を向いた開口縁５３ａには、押付片５５が斜め下方に向けて一体に形成され、また、左前方を向いた開口縁５３ｂには、位置決め片５４が下方に向けて折り曲げられるようにして一体に突設されている（図１９、図２０参照）。尚、位置決め片５４はスピンドル軸２４に対して位置精度良く形成されており、特に、位置決め片５４における左側縁５４ａは位置精度良く形成されている。
【００８０】
これにより、シャーシ１３を水平でかつ左斜め前方からガイド軸支持用開口部２１ｄを見たときに（図１８におけるＥ矢視）、押付片５５と位置決め片５４との間に、下方に開口するほぼ逆Ｖ字状の空間５６が形成される（図１９、図２０参照）。尚、図１９は、図１８におけるＥ矢視図であり、図２０は、図１８におけるＦ矢視図である。
【００８１】
また、上記スレッドモータ１９のモータ支持板４２の後端部４２ａは、位置決め片５４の右斜め後方まで延びている（図１８、図２１参照）。
【００８２】
しかして、基準ガイド軸１７の内周側端部１７ｂのシャーシ１３への取着は、スレッドモータ１９のモータ支持板４２をシャーシ１３に取着するときに、同時に為され、上記位置決め片５４及びモータ支持板４２により位置決めされる。
【００８３】
即ち、基準ガイド軸１７の内周側端部１７ｂを、シャーシ１３に形成された上記押付片５５と位置決め片５４とが為す逆Ｖ字状の空間５６に位置させ、モータ支持板４２を支柱４３、４３、４３を介してシャーシ１３にビス止めする。
【００８４】
これにより、モータ支持板４２の後端部４２ａと位置決め片５４と押付片５５との間に基準ガイド軸１７が挾持される（図１９参照）。
【００８５】
このとき、押付片５５の弾発力により、基準ガイド軸１７の内周側端部１７ｂは位置決め片５４及びモータ支持板４２の後端部４２ａに押し付けられて、位置決めされる。
【００８６】
図２２乃至図２５は、第４の実施の形態を示すものである。
【００８７】
上記第３の実施の形態にかかるディスクドライブ装置１Ｂにあっては、基準ガイド軸１７をスレッドモータのモータ支持板と押付片５５との間で挾持するようにしたが、この第４の実施の形態にかかるディスクドライブ装置１Ｃにあっては、基準ガイド軸１７をスピンドルモータ１５のステータ基板２２と押付片５５との間で挾持するようにしたものである。従って、図示はその要部についてのみ行なう。
【００８８】
この第４の実施の形態にかかるディスクドライブ装置１Ｃの位置決め片、押付片は、上記第３の実施の形態における位置決め片５４、押付片５５と同様に、シャーシ１３のガイド軸支持用開口部２１ｄに形成された取付片５３の、右前方を向いた開口縁５３ａ及び左前方を向いた開口縁５３ｂにそれぞれ一体に形成されている（図２３、図２４参照）。
【００８９】
これにより、シャーシ１３を水平でかつ左斜め前方からガイド軸支持用開口部２１ｄを見たときに（図２２におけるＧ矢視）、押付片５５と位置決め片５４との間に、下方に開口するほぼ逆Ｖ字状の空間５６が形成される（図２３、図２４参照）。尚、図２３は、図２２におけるＧ矢視図であり、図２４は、図２２におけるＨ矢視図である。
【００９０】
また、上記ステータ基板２２の右端部２２ａは、上記第２の実施の形態と同様に、位置決め片５４の右斜め後方まで延びている（図２２、図２５参照）。
【００９１】
しかして、基準ガイド軸１７の内周側端部１７ｂのシャーシ１３への取着は、ステータ基板２２をシャーシ１３に取着するときに、同時に為され、上記位置決め片５４及びステータ基板２２により位置決めされる。
【００９２】
即ち、基準ガイド軸１７の内周側端部１７ｂを、シャーシ１３に形成された上記押付片５５と位置決め片５４とが為す逆Ｖ字状の空間５６に位置させ、ステータ基板を支柱２３、２３、２３を介してシャーシ１３にビス止めする。
【００９３】
これにより、ステータ基板２２の右端部２２ａと位置決め片５４と押付片５５との間に基準ガイド軸１７が挾持される（図２３参照）。
【００９４】
このとき、押付片５５の弾発力により、基準ガイド軸１７の内周側端部１７ｂは位置決め片５４及びステータ基板２２の右端部２２ａに押し付けられて、位置決めされる。
【００９５】
図２６乃至図３０は、第５の実施の形態を示すものである。
【００９６】
上記第３の実施の形態にかかるディスクドライブ装置１Ｂにあっては、押付片５５をシャーシ１３に一体に形成したものを示したが、この第５の実施の形態にかかるディスクドライブ装置１Ｄは、押付片をシャーシ１３とは別体に形成したものである。従って、図示はその要部についてのみ行なう。
【００９７】
シャーシ１３のガイド軸支持用開口部２１ｄの右前方を向いた開口縁と左前方を向いた開口縁とにまたがって、後述する位置決め片が形成される取付片５３が形成され、該取付片５３には、右前方を向いた開口縁５３ａ及び左前方を向いた開口縁５３ｂを有している（図２６参照）。
【００９８】
そして、取付片５３の左前方を向いた開口縁５３ｂには、位置決め片５４が下方に向けて一体に形成されている（図２７、図２８参照）。尚、位置決め片５４はスピンドル軸２４に対して位置精度良く形成されており、特に、位置決め片５４の左側縁５４ａは位置精度良く形成されている。
【００９９】
シャーシ１３の位置決め片５４に近接する支柱２３の右斜め後方には、ネジ孔５７が形成されており、該ネジ孔５７には、板金材料からなりほぼヘの字状に屈曲された押付片５８がネジ５９により取着されており、該押付片５８の屈曲片５８ａは左斜め後下方に延びるように配設される（図２７、図３０参照）。
【０１００】
これにより、シャーシ１３を水平でかつ左斜め前方からガイド軸支持用開口部２１ｄを見たときに（図２６におけるＩ矢視）、押付片５８の屈曲片５８ａと位置決め片５４との間に、下方に開口するほぼ逆Ｖ字状の空間６０が形成される（図２７、図２８参照）。尚、図２７は、図２６におけるＩ矢視図であり、図２８は、図２６におけるＪ矢視図である。
【０１０１】
また、上記ステータ基板２２の右端部２２ａは、位置決め片５４の右斜め後方まで延びている（図２６、図２９参照）。
【０１０２】
しかして、基準ガイド軸１７の内周側端部１７ｂのシャーシ１３への取着は、ステータ基板２２をシャーシ１３に取着するときに、同時に為され、上記位置決め片５４及びステータ基板２２により位置決めされる。
【０１０３】
即ち、基準ガイド軸１７の内周側端部１７ｂを、シャーシ１３に形成された上記押付片５８と位置決め片５４とが為す逆Ｖ字状の空間６０に位置させ、ステータ基板を支柱２３、２３、２３を介してシャーシ１３にビス止めする。
【０１０４】
これにより、ステータ基板２２の右端部２２ａと位置決め片５４と押付片５８との間に基準ガイド軸１７が挾持される（図２７参照）。
【０１０５】
このとき、押付片５８の弾発力により、基準ガイド軸１７の内周側端部１７ｂは位置決め片５４及びステータ基板２２の右端部２２ａに押し付けられて、位置決めされる。
【０１０６】
尚、上記各実施の形態は、本発明をＣＤ−ＲＯＭドライブに適用したものを示したが、本発明は、ＣＤ−ＲＯＭドライブ以外のディスクドライブ装置に広く適用することができるものである。
【０１０７】
【発明の効果】
以上に記載したところから明らかなように、本発明ディスクドライブ装置は、シャーシと、該シャーシに対して複数の支柱を介して取着され、所定の部品を支持した部品支持板と、ピックアップを記録媒体ディスクの半径方向に案内するガイド軸とを有し、該ガイド軸の一端を上記シャーシと部品支持板との間で挟持して固定したことを特徴とする。
【０１０８】
従って、本発明ディスクドライブ装置にあっては、ガイド軸のみを支持する専用の部材が必要なく、部品点数の削減、組立工数の削減に寄与することができる。
【０１０９】
請求項２に記載した発明にあっては、シャーシ又は部品支持板に、ガイド軸を位置決めするための位置決め片を設け、該位置決め片に押し付けるようにして、ガイド軸をシャーシと部品支持板とにより挾持するようにしたので、部品支持板のシャーシへの取り付けと同時にガイド軸の位置決めが可能となり、組付性を良好にし、組立工数の削減に寄与することができる。
【０１１０】
請求項３及び請求項４に記載した発明にあっては、位置決め片の近傍に押付片を設け、該押付片により上記ガイド軸を位置決め片に押し付けるようにしたので、押付片によりガイド軸を位置決め片に押し付けることができ、ガイド軸の位置決めを容易にすることができる。
【０１１１】
請求項５乃至請求項８に記載した発明にあっては、上記部品支持板をスピンドルモータのステータ基板としたので、部品支持板を別途、設ける必要がなく、構成の簡略化に寄与することができる。
【０１１２】
請求項９乃至請求項１２に記載した発明にあっては、上記部品支持板をスレッドモータのモータ支持板としたので、部品支持板を別途、設ける必要がなく、構成の簡略化に寄与することができる。
【０１１３】
請求項１３乃至請求項２４に記載した発明にあっては、上記押付片をシャーシと一体に形成するようにしたので、押付片を別途、設ける必要がなく構成の簡略化に寄与することができる。
【０１１４】
尚、上記した各実施の形態において示した各部の形状及び構造は、何れも本発明を実施するに当たって行う具体化のほんの一例を示したものにすぎず、これらによって本発明の技術的範囲が限定的に解釈されるようなことがあってはならないものである。
【図面の簡単な説明】
【図１】図２乃至図１３と共に、本発明ディスクドライブ装置の第１の実施の形態を示すものであり、本図はトレイが外筐から引き出された状態を示す全体の斜視図である。
【図２】全体の分解斜視図である。
【図３】ベースユニットの平面図である。
【図４】ベースユニットの底面図である。
【図５】要部の分解斜視図である。
【図６】要部を拡大して示す平面図である。
【図７】図６におけるＡ矢視図である。
【図８】要部を拡大して示す底面図である。
【図９】図３のＩＸ−ＩＸ線に沿う断面図である。
【図１０】図３のＸ−Ｘ線に沿う断面図である。
【図１１】移動ベースとラック部材とを分離して示す斜視図である。
【図１２】図３のＸＩＩ−ＸＩＩ線に沿う断面図である。
【図１３】光ピックアップがＣＤ−ＲＯＭの最外周に位置している状態を示す平面図である。
【図１４】図１５乃至図１７と共に、本発明ディスクドライブ装置の第２の実施の形態を示すもので、本図は、要部を拡大して示す平面図である。
【図１５】図１４におけるＣ矢視図である。
【図１６】図１４におけるＤ矢視図である。
【図１７】要部を拡大して示す底面図である。
【図１８】図１９乃至図２１と共に、本発明ディスクドライブ装置の第３の実施の形態を示すもので、本図は、要部を拡大して示す平面図である。
【図１９】図１８におけるＥ矢視図である。
【図２０】図１８におけるＦ矢視図である。
【図２１】要部を拡大して示す底面図である。
【図２２】図２３乃至図２５と共に、本発明ディスクドライブ装置の第４の実施の形態を示すもので、本図は、要部を拡大して示す平面図である。
【図２３】図２２におけるＧ矢視図である。
【図２４】図２２におけるＨ矢視図である。
【図２５】要部を拡大して示す底面図である。
【図２６】図２７乃至図３０と共に、本発明ディスクドライブ装置の第５の実施の形態を示すもので、本図は、要部を拡大して示す平面図である。
【図２７】図２６におけるＩ矢視図である。
【図２８】図２６におけるＪ矢視図である。
【図２９】要部を拡大して示す底面図である。
【図３０】図２６のＸＸＸ−ＸＸＸ線に沿う断面図である。
【符号の説明】
１…ＣＤ−ＲＯＭドライブ（ディスクドライブ装置）、９…ＣＤ−ＲＯＭ（記録媒体ディスク）、１３…シャーシ、１５…スピンドルモータ（所定の部品）、１６…光ピックアップ（ピックアップ）、１７…基準ガイド軸（ガイド軸）、１７ｂ…内周側端（一端）、１９…スレッドモータ、２２…ステータ基板（部品支持板）、２３ａ…支柱、２３ｂ…基準支柱（位置決め部材）、２３ｃ…支柱、２７…押付片（押圧手段）、４２…モータ支持板（部品支持板）、４３…支柱、１Ａ…ディスクドライブ装置、５１…位置決め片（位置決め部材）、１Ｂ…ディスクドライブ装置、５４…位置決め片（位置決め部材）、５５…押付片、１Ｃ…ディスクドライブ装置、１Ｄ…ディスクドライブ装置、５８…押付片
【図１】
0003858438.tif 000002
【図２】
0003858438.tif 000003
【図３】
0003858438.tif 000004
【図４】
0003858438.tif 000005
【図５】
0003858438.tif 000006
【図６】
0003858438.tif 000007
【図７】
0003858438.tif 000008
【図８】
0003858438.tif 000009
【図９】
0003858438.tif 000010
【図１０】
0003858438.tif 000011
【図１１】
0003858438.tif 000012
【図１２】
0003858438.tif 000013
【図１３】
0003858438.tif 000014
【図１４】
0003858438.tif 000015
【図１５】
0003858438.tif 000016
【図１６】
0003858438.tif 000017
【図１７】
0003858438.tif 000018
【図１８】
0003858438.tif 000019
【図１９】
0003858438.tif 000020
【図２０】
0003858438.tif 000021
【図２１】
0003858438.tif 000022
【図２２】
0003858438.tif 000023
【図２３】
0003858438.tif 000024
【図２４】
0003858438.tif 000025
【図２５】
0003858438.tif 000026
【図２６】
0003858438.tif 000027
【図２７】
0003858438.tif 000028
【図２８】
0003858438.tif 000029
【図２９】
0003858438.tif 000030
【図３０】
0003858438.tif 000031